(57)【特許請求の範囲】
【請求項１】
釣糸（Ｌ）および釣針（Ｆ）を取り付けうるボディ（１）と、そのボディ（１）の底部に固設された固定ブレード（５）と、その固定ブレード（５）の前方に揺動可能に支持された可動ブレード（７）とを具備してなり、水面で前記ボディ（１）を引っ張るときの水の抵抗により前記可動ブレード（７）が揺動して前記固定ブレード（５）に接触し音を発することを特徴とするルアー（１００）。
【請求項２】
請求項１に記載のルアー（１００）において、前記固定ブレード（５）および前記可動ブレード（７）が、金属片からなることを特徴とするルアー（１００）。
【請求項３】
請求項１または請求項２に記載のルアー（１００）において、前記固定ブレード（５）が窪み部（５ａ）を有し、前記ボディ（１）の揺れにより前記窪み部（５ａ）が空気を水中に巻き込み音を発することを特徴とするルアー（１００）。
【発明の詳細な説明】
【０００１】
【発明の属する技術分野】
本発明は、ルアー（疑似餌）に関し、さらに詳しくは、リトリーブ（ルアーを引いてくる動作）時に音を発生して魚をヒットさせやすく（食いつかせやすく）するルアーに関する。
【０００２】
【従来の技術】
従来、リトリーブ時に音を発生して魚をヒットさせやすくするルアーが知られている。
図５は、従来のルアーの第１例の模式図である。
このルアー５００は、ライン（釣糸）Ｌおよびフック（釣針）Ｆを取り付けうるボディ５１と、そのボディ５１の頭部に固設されたカップ５５とを具備してなる。前記カップ５５は、窪み部５５ａを有している。
図６は、前記ルアー５００をリトリーブした時の動作の説明図である。
リトリーブ時に、水面でボディ５１を引っ張ると、ボディ５１の縦揺れによりカップ５５が空気中に出たり水中に入ったりし、その時にカップ５５の窪み部５５ａが空気を水中に巻き込み、“カポカポ”といった破裂音を発生する。
【０００３】
図７は、従来のルアーの第２例の模式図である。
このルアー６００は、ラインＬおよびフックＦを取り付けうるボディ６１と、そのボディ６１の頭部の左右にそれぞれ前後に揺動可能に支持された羽根６５とを具備してなる。前記羽根６５は、やや下向きになっている。
図８は、前記ルアー６００をリトリーブした時の動作の説明図である。
リトリーブ時に、水面でボディ６１を引っ張ると、ボディ６１の横揺れと羽根６５の前後揺動により左右の羽根６５が交互に空気中に出たり水中に入ったりし、その時に羽根６５が空気を水中に巻き込み、“カポカポ”といった破裂音を発生する。
【０００４】
【発明が解決しようとする課題】
上記従来のルアー５００，６００は、いずれも空気を水中に巻き込んで“カポカポ”といった破裂音を発生するが、魚種によっては引きつける効果が十分でない問題点があった。
そこで、本発明の目的は、“カポカポ”といった破裂音では十分に引きつけられない魚を引きつけ、ヒットさせることができるルアーを提供することにある。
【０００５】
【課題を解決するための手段】
第１の観点では、本発明は、釣糸（Ｌ）および釣針（Ｆ）を取り付けうるボディ（１）と、そのボディ（１）の底部に固設された固定ブレード（５）と、その固定ブレード（５）の前方に揺動可能に支持された可動ブレード（７）とを具備してなり、水面で前記ボディ（１）を引っ張るときの水の抵抗により前記可動ブレード（７）が揺動して前記固定ブレード（５）に接触し音を発することを特徴とするルアー（１００）を提供する。
上記第１の観点によるルアー（１００）では、可動ブレード（７）が揺動して固定ブレード（５）に接触し、“カチャカチャ”や“カシャカシャ”といった接触音を発生するため、カポカポ”といった破裂音では十分に引きつけられない魚を引きつけ、ヒットさせることが出来る。
【０００６】
第２の観点では、本発明は、上記第１の観点のルアー（１００）において、前記固定ブレード（５）および前記可動ブレード（７）が、金属片からなることを特徴とするルアー（１００）を提供する。
上記第２の観点によるルアー（１００）では、金属片の可動ブレード（７）が揺動して金属片の固定ブレード（５）に接触し、“カチャカチャ”といった金属特有の接触音を発生するため、カポカポ”といった破裂音では十分に引きつけられない魚を引きつけ、ヒットさせることが出来る。
【０００７】
第３の観点では、本発明は、上記第１または第２の観点のルアー（１００）において、前記固定ブレード（５）が窪み部（５ａ）を有し、前記ボディ（１）の揺れにより前記窪み部（５ａ）が空気を水中に巻き込み音を発することを特徴とするルアー（１００）を提供する。
上記第３の観点によるルアー（１００）では、可動ブレード（７）が揺動して固定ブレード（５）に接触した時に発する“カチャカチャ”や“カシャカシャ”といった接触音に加えて、“カポカポ”といった破裂音をも発するため、より多くの魚を引きつけ、ヒットさせることが出来る。
【０００８】
【発明の実施の形態】
以下、図を参照して本発明の実施の形態を説明する。なお、これにより本発明が限定されるものではない。
図１は、本発明の一実施形態にかかるルアーの底部側から見た斜視図である。このルアー１００は、ボディ１と、そのボディ１にライン（釣糸）Ｌおよびフック（釣針）Ｆを取り付けるためのアイレット２，３，４と、前記ボディ１の底部の尾部に前端部が釘止めされた金属片の固定ブレード５と、その固定ブレード５の釘止めで共止めされた支持金具６と、その支持金具６の湾曲部を前端孔部に通すことにより揺動可能に支持された金属片の可動ブレード６とを具備してなる。
前記固定ブレード５は、円弧形後端縁と窪み部５ａとを持つ“しゃもじ”形状であり、ボディ１の尾端からやや後方へ後端縁が突き出している。
前記可動ブレード７は、イチョウ形後端縁を持つ“ヘラ”形状であり、前記固定ブレード５の円弧形後端縁に接触しうる後部面を有している。
【０００９】
図２は、前記可動ブレード７の揺動の説明図である。
前記可動ブレード７は、左右に揺動しうる。
【００１０】
図３は、前記ルアー１００をリトリーブした時の動作の説明図である。
リトリーブ時に、水面でボディ１を引っ張ると、水の抵抗により可動ブレード７の後部が後方へ流れて、可動ブレード７の後部面が固定ブレード５の後端縁に接触する。さらに、可動ブレード７が、水の抵抗とボディ１の横揺れとにより揺動する。これにより、“カチャカチャ”といった金属特有の接触音を発生する。
一方、図４に示すように、ボディ１が横揺れおよび縦揺れしたときに、固定ブレード５が空気中に出たり水中に入ったりし、その時に固定ブレード５の窪み部５ａが空気を水中に巻き込み、“カポカポ”といった破裂音を発生する。
【００１１】
以上のルアー１００によれば、リトリーブ時に金属片の可動ブレード７が揺動して金属片の固定ブレード５に接触し、“カチャカチャ”といった金属特有の接触音を発生すると共に、“カポカポ”といった破裂音をも発生するため、より多くの魚を引きつけ、ヒットさせることができる。
【００１２】
【発明の効果】
本発明のルアーによれば、リトリーブ時に可動ブレード（７）が揺動して固定ブレード（５）に接触し、“カチャカチャ”や“カシャカシャ”といった接触音を発生するため、多くの魚を引きつけ、ヒットさせることができる。
【図面の簡単な説明】
【図１】本発明の一実施形態にかかるルアーの底部側から見た斜視図である。
【図２】可動ブレードの揺動の説明図である。
【図３】リトリーブ時に可動ブレードが揺動して固定ブレードに接触し音を発する状態の説明図である。
【図４】リトリーブ時にボディの揺れにより固定ブレードが空気を水中に巻き込んで音を発する状態の説明図である。
【図５】従来のルアーの第１例の側面図および正面図である。
【図６】図５のルアーのリトリーブ時の状態を示す説明図である。
【図７】従来のルアーの第２例の側面図および正面図である。
【図８】図７のルアーのリトリーブ時の状態を示す説明図である。
【符号の説明】
１                    ボディ
５                    固定ブレード
５ａ                  窪み部
６                    支持金具
７                    可動ブレード
１００                ルアー
Ｆ                    フック
Ｌ                    ライン
【図１】
0003882059.tif 000002
【図２】
0003882059.tif 000003
【図３】
0003882059.tif 000004
【図４】
0003882059.tif 000005
【図５】
0003882059.tif 000006
【図６】
0003882059.tif 000007
【図７】
0003882059.tif 000008
【図８】
0003882059.tif 000009